(57)【要約】【課題】タッチパネル等による端末操作により、複数のオブジェクトを容易に選択することができる電子機器、機器及び方法を提供する。【解決手段】複数のオブジェクトを表示する表示部２０と、表示部２０上における接触物による接触を検出する接触検出部１０と、接触検出部１０に対する押圧を検出して押圧に基づくデータを生成する押圧検出部３０と、押圧検出部３０から取得した押圧に基づくデータに応じて、複数のオブジェクトから選択する前記オブジェクトの数を変化させる制御部５０と、を有することを特徴とする。【選択図】図１
2014006748.tif 000002
【特許請求の範囲】
【請求項１】
複数のオブジェクトを表示する表示部と、
前記表示部上における接触物による接触を検出する接触検出部と、
前記接触検出部に対する押圧を検出して押圧に基づくデータを生成する押圧検出部と、
前記押圧検出部から取得した前記押圧に基づくデータに応じて、前記複数のオブジェクトから選択する前記オブジェクトの数を変化させる制御部と、
を有する電子機器。
【請求項２】
前記複数のオブジェクトは、複数のレイヤ上に各々配置され、
前記制御部は、前記押圧に基づくデータに応じて、前記複数のレイヤのうち、少なくとも一つの前記レイヤ上に配置された前記オブジェクトを選択することを特徴とする、請求項１に記載の電子機器。
【請求項３】
前記制御部は、前記押圧に基づくデータに応じて、少なくとも一つの前記レイヤ上に配置された全ての前記オブジェクトを選択することを特徴とする、請求項２に記載の電子機器。
【請求項４】
前記接触検出部は前記接触物による前記接触の位置を検出し、
前記制御部は、前記接触検出部が検出した前記位置に応じて前記オブジェクトを選択することを特徴とする、請求項１又は２に記載の電子機器。
【請求項５】
前記接触検出部は前記接触物による前記接触の位置を検出し、
前記制御部は、前記押圧に基づくデータに応じて、前記接触検出部が検出した前記位置に対応する領域に存在する前記オブジェクトを選択し、
前記制御部はさらに、前記領域を、前記押圧に基づくデータに応じて拡大又は縮小することを特徴とする、請求項１に記載の電子機器。
【請求項６】
前記制御部は、前記接触検出部が検出した前記位置が変化した場合、選択した前記オブジェクトのドラッグ操作をすることを特徴とする、請求項４又は５に記載の電子機器。
【請求項７】
前記制御部は、前記押圧に基づくデータに応じて、選択した前記オブジェクトのドロップ操作をすることを特徴とする、請求項１乃至６のいずれか一項に記載の電子機器。
【請求項８】
前記制御部は、前記押圧に基づくデータが、所定の時間において所定値未満である場合、前記ドロップ操作をすることを特徴とする、請求項７に記載の電子機器。
【請求項９】
押圧に基づくデータに応じて、複数のオブジェクトから選択するオブジェクトを決定する機器。
【請求項１０】
押圧に基づくデータに応じて、複数のオブジェクトから選択するオブジェクトを決定する方法。
【請求項１１】
押圧に基づくデータに応じて、複数のオブジェクトから選択するオブジェクトの数を決定する機器。
【請求項１２】
押圧に基づくデータに応じて、複数のオブジェクトから選択するオブジェクトの数を決定する方法。
【発明の詳細な説明】
【技術分野】
【０００１】
本発明は、電子機器、機器及び方法に関する。
【背景技術】
【０００２】
近年、タッチパネル等の接触検出部を備え、タッチパネル等による端末操作が可能な携帯電話が普及してきている。このような携帯電話は、タッチパネル等による端末操作により、アイコン、画像、文字等（以下、オブジェクトという。）の選択や画面切替、文字入力等をすることができる。
【先行技術文献】
【特許文献】
【０００３】
【特許文献１】特開２０１０−１４６５０７号公報
【発明の概要】
【発明が解決しようとする課題】
【０００４】
しかしながら、タッチパネル等による端末操作では、複数のオブジェクトを選択する簡便な方法がなかった。
【０００５】
従って、上記のような問題点に鑑みてなされた本発明の目的は、タッチパネル等による端末操作により、複数のオブジェクトを容易に選択することができる電子機器、機器及び方法を提供することにある。
【課題を解決するための手段】
【０００６】
上記課題を解決するために本発明に係る電子機器は、
複数のオブジェクトを表示する表示部と、
前記表示部上における接触物による接触を検出する接触検出部と、
前記接触検出部に対する押圧を検出して押圧に基づくデータを生成する押圧検出部と、
前記押圧検出部から取得した前記押圧に基づくデータに応じて、前記複数のオブジェクトから選択する前記オブジェクトの数を変化させる制御部と、を有することを特徴とする。
【０００７】
また、本発明に係る電子機器は、
前記複数のオブジェクトが、複数のレイヤ上に各々配置され、
前記制御部は、前記押圧に基づくデータに応じて、前記複数のレイヤのうち、少なくとも一つの前記レイヤ上に配置された前記オブジェクトを選択することを特徴とする。
【０００８】
また、本発明に係る電子機器は、
前記制御部は、前記押圧に基づくデータに応じて、少なくとも一つの前記レイヤ上に配置された全ての前記オブジェクトを選択することを特徴とする。
【０００９】
また、本発明に係る電子機器は、
前記接触検出部が前記接触物による前記接触の位置を検出し、
前記制御部は、前記接触検出部が検出した前記位置に応じて前記オブジェクトを選択することを特徴とする。
【００１０】
また、本発明に係る電子機器は、
前記接触検出部は前記接触物による前記接触の位置を検出し、
前記制御部が、前記押圧に基づくデータに応じて、前記接触検出部が検出した前記位置に対応する領域に存在する前記オブジェクトを選択し、
前記制御部はさらに、前記領域を、前記押圧に基づくデータに応じて拡大又は縮小することを特徴とする。
【００１１】
また、本発明に係る電子機器は、
前記制御部が、前記接触検出部が検出した前記位置が変化した場合、選択した前記オブジェクトのドラッグ操作をすることを特徴とする。
【００１２】
また、本発明に係る電子機器は、
前記制御部が、前記押圧に基づくデータに応じて、選択した前記オブジェクトのドロップ操作をすることを特徴とする。
【００１３】
また、本発明に係る電子機器は、
前記制御部が、前記押圧に基づくデータが、所定の時間において所定値未満である場合、前記ドロップ操作をすることを特徴とする。
【００１４】
また、本発明に係る機器は、
押圧に基づくデータに応じて、複数のオブジェクトから選択するオブジェクトを決定することを特徴とする。
【００１５】
また、本発明に係る方法は、
押圧に基づくデータに応じて、複数のオブジェクトから選択するオブジェクトを決定することを特徴とする。
【００１６】
また、本発明に係る機器は、
押圧に基づくデータに応じて、複数のオブジェクトから選択するオブジェクトの数を決定することを特徴とする。
【００１７】
また、本発明に係る方法は、
押圧に基づくデータに応じて、複数のオブジェクトから選択するオブジェクトの数を決定することを特徴とする。
【発明の効果】
【００１８】
本発明における電子機器、機器及び方法によれば、タッチパネル等による端末操作により、複数のオブジェクトを容易に選択することができる。
【図面の簡単な説明】
【００１９】
【図１】実施の形態１の電子機器のブロック図である。
【図２】実施の形態１の電子機器のオブジェクトの選択及びドラッグ操作の概念図である。
【図３】実施の形態１の電子機器のオブジェクトのドロップ操作の概念図である。
【図４】実施の形態１の電子機器のオブジェクトのドロップ操作の他の例を示す概念図である。
【図５】実施の形態１の電子機器のオブジェクトの選択及びドラッグ操作に係る動作を示すフローチャートである。
【図６】実施の形態１の電子機器のオブジェクトのドロップ操作に係る動作を示すフローチャートである。
【図７】実施の形態１の電子機器のオブジェクトのドロップ操作の変形例１の動作を示す概念図である。
【図８】実施の形態１の電子機器のオブジェクトのドロップ操作の変形例２の動作を示す概念図である。
【図９】実施の形態１の電子機器のオブジェクトのドロップ操作の変形例２に係る動作を示すフローチャートである。
【図１０】実施の形態２の電子機器の操作に係る概念図である。
【図１１】実施の形態２の電子機器のオブジェクトの選択及びドラッグ操作に係る動作を示すフローチャートである。
【図１２】実施の形態２の電子機器のオブジェクトのドロップ操作に係る動作を示すフローチャートである。
【発明を実施するための形態】
【００２０】
以下、本発明の実施の形態について説明する。
【００２１】
（実施の形態１）
図１は本発明の実施の形態１に電子機器１のブロック図である。本発明の実施の形態１に係る電子機器１は、接触検出部１０と、表示部２０と、押圧検出部３０と、触感呈示部４０と、制御部５０とを備える。
【００２２】
接触検出部１０は、通常は表示部２０の前面側に配置して、表示部２０に表示したオブジェクトに対する操作者の指やスタイラスペン等（以下、単に「接触物」と総称する）による接触の位置を、対応する接触検出部１０の接触面において検出する。この接触検出部１０は、例えば抵抗膜方式、静電容量方式、光学式等の方式のもので構成されたタッチセンサを用いることができる。
【００２３】
表示部２０は、例えばアイコン、画像等のような複数のオブジェクトを表示する。この複数のオブジェクトは、接触検出部１０において接触すべき領域を操作者に示唆する画像である。複数のオブジェクトは好適には、複数のレイヤ上に各々重なって配置される。ここでレイヤは、最前面から順番に第一レイヤ、第二レイヤ、第三レイヤの３つが存在するものとして説明する。表示部２０は、例えば、液晶表示パネル（ＬＣＤ）や有機ＥＬ表示パネル等を用いて構成する。
【００２４】
押圧検出部３０は、接触検出部１０のタッチ面に対する押圧を検出するもので、例えば、押圧に応じて物理的または電気的な特性（歪み、抵抗、電圧等）が変化する歪みゲージセンサや圧電素子等の素子等を用いて構成する。押圧検出部３０が、例えば、圧電素子等を用いて構成された場合、押圧検出部３０の圧電素子は、接触検出部１０のタッチ面に対する押圧に係る荷重（力）の大きさ（または、荷重（力）の大きさが変化する速さ（加速度））に応じて、電気的な特性である電圧の大きさ（電圧値（以下、単にデータと称する））が変化する。
【００２５】
触感呈示部４０は、例えば圧電振動子等を用いて構成し、接触検出部１０を振動させる。この触感呈示部４０は、所定の振動パターンによる振動を発生させることにより、接触検出部１０に接触している接触物に対して触感を呈示する。本実施の形態において、触感呈示部４０は、制御部５０から供給される駆動信号に基づいて振動を発生する。
【００２６】
制御部５０は、電子機器１を構成する各機能部を制御することにより、電子機器１の全体を制御および管理する。制御部５０は、押圧検出部３０がデータを制御部５０に通知することにより、または、制御部５０が、押圧検出部３０の圧電素子に係るデータを検出することにより、当該データを取得する。つまり、制御部５０は、接触検出部１０のタッチ面に対する押圧に基づくデータを押圧検出部３０から取得する。好ましくは押圧に基づくデータは、ＡＤＣ値である。以下、押圧に基づくデータはＡＤＣ値であるとして説明するがこれに限定されず、例えば、押圧に基づくデータは、押圧に係る荷重（力）の大きさ（Ｎ）、押圧に応じて変化する歪み、抵抗（Ω）、電圧（Ｖ）の大きさ等でもよい。
【００２７】
また制御部５０は、押圧検出部３０から取得したＡＤＣ値及び接触検出部１０が検出した位置に応じて、表示部２０に表示された複数のオブジェクトから少なくとも一つのオブジェクトを選択する。
【００２８】
具体的には制御部５０は、ＡＤＣ値が第一の閾値以上かつ第二の閾値未満（第二の閾値＞第一の閾値とする。）の場合、第一レイヤ上のオブジェクトのうち、接触検出部１０が検出した位置に配置されたオブジェクトを選択する。
【００２９】
また制御部５０は、ＡＤＣ値が第二の閾値以上かつ第三の閾値未満（第三の閾値＞第二の閾値とする。）の場合、第一レイヤ及び第二レイヤ上のオブジェクトのうち、接触検出部１０が検出した位置に配置されたオブジェクトを選択する。
【００３０】
また制御部５０は、ＡＤＣ値が第三の閾値以上の場合、第一レイヤ、第二レイヤ、及び第三レイヤ上のオブジェクトのうち、接触検出部１０が検出した位置に配置されたオブジェクトを選択する。このように制御部５０は、ＡＤＣ値に応じて、複数のオブジェクトから選択するオブジェクトの数を変化させる。
【００３１】
また制御部５０は、オブジェクトを選択した後に接触検出部１０により検出される位置が、例えば操作者が指等の接触物を移動させる等により変化した場合、選択されたオブジェクトを当該位置の変化に応じて移動する操作（以下、ドラッグ操作という。）をする。
【００３２】
図２に、第一の実施形態における電子機器１のオブジェクトの選択及びドラッグ操作の概念図を示す。
【００３３】
図２に示す例では、第一レイヤ、第二レイヤ、及び第三レイヤにそれぞれオブジェクトＡ、オブジェクトＢ、オブジェクトＣが存在している（図２（ａ））。接触検出部１０は、操作者の指によるオブジェクトＡが存在する位置における接触を検知する。押圧検出部３０は、操作者の指による押圧を検出する。そして制御部５０は、ＡＤＣ値を押圧検出部３０から取得する。ここでＡＤＣ値が第三の閾値以上であった場合、制御部５０は、第一レイヤ、第二レイヤ、及び第三レイヤ上のオブジェクトのうち、接触検出部１０が検出した位置に配置されたオブジェクトＡ〜Ｃを選択する（図２（ｂ））。
【００３４】
オブジェクト選択後に、接触検出部１０が検出する接触物の位置が、操作者が指をスライドさせたことにより変化したとする。この場合、制御部５０は、選択されたオブジェクトを当該位置の変化に応じて移動、すなわちドラッグ操作をする（図２（ｃ））。
【００３５】
図２（ｄ）は、制御部５０が取得するＡＤＣ値と、時間との関係を示す図である。図２（ｄ）に示す例では、ＡＤＣ値が第二の閾値以上第三の閾値未満であるため、制御部５０は、オブジェクトＡ、Ｂを選択する。図２（ｅ）は、ＡＤＣ値が第三の閾値以上である例を示しており、この場合制御部５０は、オブジェクトＡ〜Ｃを選択する。
【００３６】
また制御部５０は、ＡＤＣ値に応じて、選択した前記オブジェクトの選択を解除する操作（以下、ドロップ操作という。）をする。具体的には制御部５０は、ＡＤＣ値が第二の閾値以上かつ第三の閾値未満の場合、選択していたオブジェクトのうち、第三レイヤ上のオブジェクトのドロップ操作をする。また制御部５０は、ＡＤＣ値が第一の閾値以上かつ第二の閾値未満の場合、選択していたオブジェクトのうち、第二レイヤ上及び第三レイヤ上のオブジェクトのドロップ操作をする。また制御部５０は、ＡＤＣ値が第一の閾値未満の場合、選択していたオブジェクトのうち、第一のレイヤ上、第二レイヤ上、及び第三レイヤ上のオブジェクトのドロップ操作をする。
【００３７】
図３は、第一の実施形態における電子機器１のオブジェクトのドロップ操作の例を示す概念図である。図４（ａ）に示すように、まず制御部５０は、オブジェクトＡ〜Ｃを選択している状態である。そして制御部５０は、例えばＡＤＣ値が第一の閾値未満の場合、選択していたオブジェクトのうち、第一レイヤ〜第三レイヤ上のオブジェクト、すなわちオブジェクトＡ〜Ｃのドロップ操作をする（図３（ｂ））。図３（ｃ）は、制御部５０が取得するＡＤＣ値と、時間との関係を示す図である。図３（ｃ）に示す例では、ＡＤＣ値が第一の閾値未満であるため、制御部５０は、オブジェクトＡ〜Ｃのドロップ操作をする。
【００３８】
図４は、第一の実施形態における電子機器１のオブジェクトのドロップ操作の例を示す概念図である。図４（ａ）に示すように、まず制御部５０は、オブジェクトＡ〜オブジェクトＣを選択している状態である。そして制御部５０は、例えばＡＤＣ値が第二の閾値以上第三の閾値未満の場合、選択していたオブジェクトのうち、第三レイヤ上のオブジェクト、オブジェクトＣのドロップ操作をする（図４（ｂ））。図４（ｃ）は、制御部５０が取得するＡＤＣ値と、時間との関係を示す図である。図４（ｃ）に示す例では、ＡＤＣ値が第二の閾値以上第三の閾値未満であるため、制御部５０は、オブジェクトＣのドロップ操作をする。
【００３９】
次に、本発明に係る電子機器１の選択及びドラッグ操作について、図５に示すフローチャートによりその動作を説明する。
【００４０】
はじめに制御部５０は、接触検出部１０が接触を検知したか否かを判定する（ステップＳ１０１）。接触を検知しない場合、当該ステップＳ１０１を繰り返し行う。接触を検知した場合、制御部５０は、接触検出部１０が検出した接触の位置を取得する（ステップＳ１０２）。
【００４１】
続いて制御部５０は、ＡＤＣ値を押圧検出部３０から取得する（ステップＳ１０３）。そして制御部５０は、触感呈示部４０に駆動信号を渡し、触感呈示部４０がＡＤＣ値に応じた所定の触感を呈示する（ステップＳ１０４）。
【００４２】
続いて制御部５０は、取得したＡＤＣ値を第一の閾値、第二の閾値、及び第三の閾値と比較する（ステップＳ１０５）。ＡＤＣ値が第一の閾値以上かつ第二の閾値未満の場合、ステップＳ１０６に進む。またＡＤＣ値が第二の閾値以上かつ第三の閾値未満の場合、ステップＳ１０７に進み、ＡＤＣ値が第三の閾値以上の場合ステップＳ１０８に進む。
【００４３】
ＡＤＣ値が第一の閾値未満である場合、制御部５０はいずれのオブジェクトも選択せず、処理が終了する。このようにすることで、対象のオブジェクトに少し触れただけでも、オブジェクトが選択されてしまうということを防止することができる。
【００４４】
ＡＤＣ値が第一の閾値以上かつ第二の閾値未満の場合、制御部５０は、第一レイヤ上のオブジェクトのうち、接触検出部１０が検出した位置に配置されたオブジェクトを選択する（ステップＳ１０６）。そしてステップＳ１０９に進む。
【００４５】
一方、ＡＤＣ値が第二の閾値以上かつ第三の閾値未満の場合、制御部５０は、第一レイヤ及び第二レイヤ上のオブジェクトのうち、接触検出部１０が検出した位置に配置されたオブジェクトを選択する（ステップＳ１０７）。そしてステップＳ１０９に進む。
【００４６】
一方、ＡＤＣ値が第三の閾値以上の場合、制御部５０は、第一レイヤ、第二レイヤ及び第三レイヤ上のオブジェクトのうち、接触検出部１０が検出した位置に配置されたオブジェクトを選択する（ステップＳ１０８）。そしてステップＳ１０９に進む。
【００４７】
続いて制御部５０は、接触検出部１０により検出される位置が、操作者が接触物を移動させる等により変化したか否かを判定する（ステップＳ１０９）。位置が変化した場合、制御部５０は、選択されたオブジェクトを当該位置の変化に応じてドラッグ操作し（ステップＳ１１０）、処理が終了する。位置が変化しない場合、ドラッグ操作をせずに処理が終了する。
【００４８】
次に、本発明に係る電子機器１のオブジェクト選択後又はドラッグ後のドロップ操作について、図６に示すフローチャートによりその動作を説明する。
【００４９】
はじめに制御部５０は、接触検出部１０が接触を検知したか否かを判定する（ステップＳ１１１）。接触を検知しない場合、ステップＳ１１５に進む。一方接触を検知した場合、制御部５０は、ＡＤＣ値を押圧検出部３０から取得する（ステップＳ１１２）。そして制御部５０は、触感呈示部４０に駆動信号を渡し、触感呈示部４０がＡＤＣ値に応じた所定の触感を呈示する（ステップＳ１１３）。
【００５０】
続いて制御部５０は、取得したＡＤＣ値を第一の閾値、第二の閾値、及び第三の閾値と比較する（ステップＳ１１４）。ＡＤＣ値が第一の閾値未満である場合、ステップＳ１１５に進み、ＡＤＣ値が第一の閾値以上かつ第二の閾値未満の場合、ステップＳ１１６に進む。またＡＤＣ値が第二の閾値以上かつ第三の閾値未満の場合、ステップＳ１１７に進む。
【００５１】
ＡＤＣ値が第一の閾値未満である場合、又はステップＳ１１１において接触検出部１０が接触を検知しない場合、制御部５０は、全てのオブジェクトのドロップ操作をし（ステップＳ１１５）、処理が終了する。
【００５２】
一方、ＡＤＣ値が第一の閾値以上かつ第二の閾値未満の場合、制御部５０は、選択していたオブジェクトのうち、第二レイヤ上及び第三レイヤ上のオブジェクトのドロップ操作をする（ステップＳ１１６）。そして処理が終了する。
【００５３】
一方、ＡＤＣ値が第二の閾値以上かつ第三の閾値未満の場合、制御部５０は、選択していたオブジェクトのうち、第三レイヤ上のオブジェクトのドロップ操作をする（ステップＳ１１７）。そして処理が終了する。
【００５４】
一方、ＡＤＣ値が第三の閾値以上の場合、制御部５０は、いずれのオブジェクトのドロップ操作をせず処理が終了する。
【００５５】
このように本発明によれば、制御部５０が、押圧検出部３０から取得した前記ＡＤＣ値に応じて、複数のオブジェクトから選択するオブジェクトの数を変化させるため、タッチパネル等による端末操作により、複数のオブジェクトを容易に選択することができる。
【００５６】
また本発明によれば、制御部５０が、押圧検出部３０から取得した前記ＡＤＣ値に応じてオブジェクトをドロップするため、選択した複数のオブジェクトのドロップ操作を容易に行うことができる。
【００５７】
また本発明によれば、触感呈示部４０が、オブジェクトの選択、ドロップ時にＡＤＣ値に応じた所定の触感を呈示するため、所定のオブジェクトが選択されたか否かを容易に判別することができる。
【００５８】
なお、上記ではレイヤの数は第一レイヤ〜第三レイヤの３つのレイヤが存在する例を示したがこれに限られず、２つ以上のレイヤのみでもよく、或いは４つ以上のレイヤが存在してもよい。
【００５９】
（変形例１）
上記のステップＳ１１４において制御部５０は、ＡＤＣ値を、所定時間において第一の閾値、第二の閾値、及び第三の閾値と比較してもよい。当該所定時間は、例えば１秒等であるがこれに限定されない。つまり制御部５０は、ＡＤＣ値が所定時間、第一の閾値未満である場合、ステップＳ１１５に進み、一方、所定時間、ＡＤＣ値が第一の閾値以上かつ第二の閾値未満の場合、ステップＳ１１６に進むようにしてもよい。同様に制御部５０は、ＡＤＣ値が所定時間、第二の閾値以上かつ第三の閾値未満の場合、ステップＳ１１７に進むようにしてもよい。
【００６０】
図７に、変形例１における電子機器１のオブジェクトのドロップ操作の概念図を示す。図７（ａ）に示すように、まず制御部５０は、オブジェクトＡ〜Ｃを選択する。その後、制御部５０は、例えばＡＤＣ値が所定時間、第二の閾値以上かつ第三の閾値未満の場合、選択していたオブジェクトのうち、第三レイヤ上のオブジェクト、すなわちオブジェクトＣのドロップ操作をする（図７（ｂ））。図７（ｃ）は、制御部５０が取得するＡＤＣ値と、時間との関係を示す図である。図７（ｃ）に示す例では、所定時間、ＡＤＣ値が第二の閾値以上第三の閾値未満であるため、制御部５０は、オブジェクトＣのドロップ操作をする。
【００６１】
変形例１のように構成することで、例えば瞬時的に接触物による押圧が低下して、ＡＤＣ値がこれらの閾値を下回ったとしても即時にオブジェクトのドロップ操作をすることはせず、操作者の利便性を向上させることができる。
【００６２】
（変形例２）
上記では制御部５０は、ＡＤＣ値を、第一の閾値、第二の閾値、及び第三の閾値と比較したが、制御部５０が第四の閾値と比較し、第四の閾値以上である場合にドロップ操作をするようにしてもよい。
【００６３】
図８に、変形例２における電子機器１のオブジェクトのドロップ操作の概念図を示す。図８（ａ）に示すように、まず制御部５０は、オブジェクトＡ〜Ｃを選択する。その後、制御部５０は、例えばＡＤＣ値が第四の閾値以上の場合（第四の閾値＞第三の閾値）、選択していたオブジェクトのうち、第三レイヤ上のオブジェクト、すなわちオブジェクトＣのドロップ操作をする（図８（ｂ））。図８（ｃ）は、制御部５０が取得するＡＤＣ値と、時間との関係を示す図である。図８（ｃ）に示す例では、ＡＤＣ値が第四の閾値以上であるため、制御部５０は、オブジェクトＣのドロップ操作をする。
【００６４】
次に変形例２について、図９に示すフローチャートによりその動作を説明する。なお実施の形態１と同一の動作については同一の符号を付し、説明は省略する。
【００６５】
ステップＳ１１３において制御部５０が触感を呈示させた後、制御部５０は、ＡＤＣ値を第四の閾値と比較する（ステップＳ１２４）。ＡＤＣ値が第四の閾値未満である場合、処理が終了する。一方ＡＤＣ値が第四の閾値以上の場合、ステップＳ１２５に進む。
【００６６】
ＡＤＣ値が第四の閾値以上の場合、第三レイヤ上のオブジェクトのドロップ操作をし（ステップＳ１２５）、処理が終了する。
【００６７】
変形例２のように構成することで、押圧を増加することによってもドロップ操作をすることができ、操作者の使い勝手を向上させることができる。
【００６８】
なお、ステップＳ１２５において、第三レイヤ上のオブジェクトのドロップ操作をするようにしたがこれに限られず、他のレイヤ（第一レイヤ又は第二レイヤ）上のオブジェクトのドロップ操作をしてもよく、あるいは複数のレイヤ上のオブジェクトのドロップ操作をしてもよい。
【００６９】
（変形例３）
上記では制御部５０は、オブジェクト選択の際にデータ及び接触検出部１０が検出した位置情報を用いてオブジェクトを選択するように構成していたが、制御部５０は、押圧検出部３０から取得した押圧のみに基づき表示部２０に表示された複数のオブジェクトから少なくとも一つのオブジェクトを選択してもよい。すなわち、制御部５０は、オブジェクト選択の際にデータ及び接触検出部１０が検出した位置情報を用いなくてもよい。
【００７０】
具体的にはステップＳ１０６において、電子機器２の制御部５０は、ＡＤＣ値が第一の閾値以上かつ第二の閾値未満の場合、第一レイヤ上の全てのオブジェクトを選択する。
【００７１】
またステップＳ１０７において、制御部５０は、ＡＤＣ値が第二の閾値以上かつ第三の閾値未満の場合、第一レイヤ及び第二レイヤ上の全てのオブジェクトを選択する。
【００７２】
またステップＳ１０８において、制御部５０は、ＡＤＣ値が第三の閾値以上の場合、第一レイヤ、第二レイヤ、及び第三レイヤ上の全てのオブジェクトを選択する。このように制御部５０は、ＡＤＣ値に応じて、複数のオブジェクトから選択するオブジェクトの数を変化させる。
【００７３】
このようにすることで、本発明に係る電子機器１は、所定のレイヤ上の複数のオブジェクトを容易に選択することができ、操作者の使い勝手を向上させることができる。
【００７４】
（実施の形態２）
以下に、本発明の実施の形態２について説明をする。実施の形態２において、制御部５０が選択する対象の複数のオブジェクトは全て同一レイヤ上に配置される。好適には当該オブジェクトは、文字である。以下、オブジェクトは文字であるものとして説明するがこれに限定されない。
【００７５】
制御部５０は、押圧検出部３０から取得したＡＤＣ値及び接触検出部１０が検出した位置に応じて、表示部２０に表示された複数のオブジェクトから少なくとも一つのオブジェクトを選択する。すなわち、制御部５０は、表示部２０に表示された文字から、一部の文字を選択する。
【００７６】
具体的には制御部５０は、ＡＤＣ値が第一の閾値以上かつ第二の閾値未満の場合、接触検出部１０が検出した位置に対応する第一の領域に存在する文字を選択する。なお第一の領域とは、接触検出部１０が検出した位置を含む一定範囲の領域を意味する。好適には第一の領域は、接触検出部１０が検出した位置に配置されている文字である。
【００７７】
また制御部５０は、ＡＤＣ値が第二の閾値以上かつ第三の閾値未満の場合、接触検出部１０が検出した位置に対応する第二の領域に存在する文字を選択する。なお第二の領域は接触検出部１０が検出した位置を含み、第一の領域よりも広い領域を意味する。好適には第二の領域は、接触検出部１０が検出した位置に配置されている文である。
【００７８】
また制御部５０は、ＡＤＣ値が第三の閾値以上の場合、接触検出部１０が検出した位置に対応する第三の領域に存在する文字を選択する。なお第三の領域は接触検出部１０が検出した位置を含み、第二の領域よりも広い領域を意味する。好適には第三の領域は、接触検出部１０が検出した位置に配置されている段落である。このように制御部５０は、ＡＤＣ値に応じて、複数のオブジェクトから選択するオブジェクトの数を変化させる。
【００７９】
またこのように制御部５０は、押圧に基づくデータであるＡＤＣ値に応じて、接触検出部１０が検出した位置に対応する領域に存在するオブジェクトを選択し、さらに、当該領域を、ＡＤＣ値に応じて拡大又は縮小する。
【００８０】
また制御部５０は、これら文字、文又は段落のいずれかのオブジェクトを選択した後に接触検出部１０により検出される位置が、例えば操作者が指等の接触物を移動させる等により変化した場合、選択されたオブジェクトを当該位置の変化に応じてドラッグ操作をする。
【００８１】
図１０に、第二の実施形態における電子機器２のオブジェクトの選択及びドラッグ操作の概念図を示す。図１０に示す例では、同一のレイヤに、「午後から横浜市内に雨が降るようです。傘を忘れないように気をつけて下さい。」という文字が配置されている（図１０（ａ））。接触検出部１０は、操作者の指の接触を検知する。押圧検出部３０は、操作者の指による押圧を検出する。そして制御部５０は、ＡＤＣ値を押圧検出部３０から取得する。ここでＡＤＣ値が第二の閾値以上かつ第三の閾値未満であった場合、制御部５０は、接触検出部１０が検出した位置に対応する第二の領域に存在するオブジェクト、すなわち文を選択する（図１０（ｂ））。
【００８２】
対象の文を選択後に、接触検出部１０が検出する接触物の位置が、操作者が指をスライドさせたことにより変化したとする。この場合、制御部５０は、選択されたオブジェクトを当該位置の変化に応じて移動、すなわちドラッグ操作をする（図８（ｃ））。
【００８３】
また制御部５０は、ＡＤＣ値に応じて、選択した前記オブジェクトのドロップ操作をする。具体的には制御部５０は、ＡＤＣ値が第一の閾値未満の場合、選択していたオブジェクトのドロップ操作をする。すなわち、図１０（ｃ）の場合において、ＡＤＣ値が第一の閾値未満になった場合、選択してドラッグした文「傘を忘れないように気をつけて下さい。」が文頭に挿入されることになる。
【００８４】
次に、本発明に係る電子機器２の選択及びドラッグ操作について、図１１に示すフローチャートによりその動作を説明する。
【００８５】
はじめに制御部５０は、接触検出部１０が接触を検知したか否かを判定する（ステップＳ２０１）。接触を検知しない場合、当該ステップＳ２０１を繰り返し行う。接触を検知した場合、制御部５０は、接触検出部１０が検出した接触の位置を取得する（ステップＳ２０２）。
【００８６】
続いて制御部５０は、ＡＤＣ値を押圧検出部３０から取得する（ステップＳ２０３）。そして制御部５０は、触感呈示部４０に駆動信号を渡し、触感呈示部４０が所定の触感を呈示する（ステップＳ２０４）。
【００８７】
続いて制御部５０は、ＡＤＣ値を押圧検出部３０から取得し、取得したＡＤＣ値を第一の閾値、第二の閾値、及び第三の閾値と比較する（ステップＳ２０５）。ＡＤＣ値が第一の閾値以上かつ第二の閾値未満の場合、ステップＳ２０６に進む。またＡＤＣ値が第二の閾値以上かつ第三の閾値未満の場合、ステップＳ２０７に進み、ＡＤＣ値が第三の閾値以上の場合、ステップＳ２０８進む。
【００８８】
ＡＤＣ値が第一の閾値未満である場合、いずれの文字も選択せず処理が終了する。このようにすることで、対象の文字に少し触れただけでも、文字が選択されてしまうということを防止することができる。
【００８９】
一方、ＡＤＣ値が第一の閾値以上かつ第二の閾値未満の場合、制御部５０は、接触検出部１０が検出した位置の文字を選択する（ステップＳ２０６）。そしてステップＳ２０９に進む。
【００９０】
一方、ＡＤＣ値が第二の閾値以上かつ第三の閾値未満の場合、接触検出部１０が検出した位置の文を選択する（ステップＳ２０７）。そしてステップＳ２０９に進む。
【００９１】
一方、ＡＤＣ値が第三の閾値以上の場合、制御部５０は、接触検出部１０が検出した位置の段落を選択する（ステップＳ２０８）。そしてステップＳ２０９に進む。
【００９２】
続いて制御部５０は、接触検出部１０により検出される位置が、操作者が接触物を移動させる等により変化したか否かを判定する（ステップＳ２０９）。位置が変化した場合、制御部５０は、選択された文字、文、又は段落のいずれかのオブジェクトを当該位置の変化に応じてドラッグ操作し（ステップＳ２１０）、処理が終了する。位置が変化しない場合、ドラッグ操作をせずに処理が終了する。
【００９３】
次に、本発明に係る電子機器２のオブジェクト選択後又はドラッグ後のドロップ操作について、図１２に示すフローチャートによりその動作を説明する。
【００９４】
はじめに制御部５０は、接触検出部１０が接触を検知したか否かを判定する（ステップＳ２１１）。接触を検知しない場合、ステップＳ２１５に進む。一方接触を検知した場合、制御部５０は、ＡＤＣ値を押圧検出部３０から取得する（ステップＳ２１２）。そして制御部５０は、触感呈示部４０に駆動信号を渡し、触感呈示部４０が所定の触感を呈示する（ステップＳ２１３）。
【００９５】
続いて制御部５０は、取得したＡＤＣ値を第一の閾値、第二の閾値、及び第三の閾値と比較する（ステップＳ２１４）。ＡＤＣ値が第一の閾値未満である場合、ステップＳ２１５に進む。一方ＡＤＣ値が第一の閾値以上の場合、ドロップ操作をせずに処理が終了する。
【００９６】
ＡＤＣ値が第一の閾値未満である場合、又は接触検出部１０が接触を検出しない場合、制御部５０は、オブジェクトのドロップ操作をし（ステップＳ２１５）、処理が終了する。
【００９７】
このように実施の形態２にかかる電子機器２によれば、制御部５０が、押圧検出部３０から取得した前記ＡＤＣ値に応じてオブジェクトである文字のうち、一文字、文、段落等と、複数文字を容易に選択して移動等の編集をすること容易にできるため、メールや文章の作成をする際に好適である。
【００９８】
なお、上記では第一の領域、第二の領域、及び第三の領域をそれぞれ文字、文、段落としたがこれに限られず、単語、文節、章単位等であってもよい。また、文字以外のオブジェクトとしては、表計算データにおけるセルデータ等であってもよい。この場合、第一の領域、第二の領域、及び第三の領域はそれぞれ、セル、隣接する最大９個のセル、シート等であってもよい。
【００９９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【０１００】
１、２  電子機器
１０  接触検出部
２０  表示部
３０  押圧検出部
４０  触感呈示部
５０  制御部
【図１】
2014006748.tif 000003
【図２】
2014006748.tif 000004
【図３】
2014006748.tif 000005
【図４】
2014006748.tif 000006
【図５】
2014006748.tif 000007
【図６】
2014006748.tif 000008
【図７】
2014006748.tif 000009
【図８】
2014006748.tif 000010
【図９】
2014006748.tif 000011
【図１０】
2014006748.tif 000012
【図１１】
2014006748.tif 000013
【図１２】
2014006748.tif 000014